(57)【要約】【課題】殆どの家庭で設置している追い焚き装置の循環回路に高濃度酸素を混入させることにより、安全で温浴効果を高めた入浴装置を提供する。【解決手段】ポンプ１８により浴槽２１の湯が循環する追焚き循環回路２０に接続され、気体を追焚き循環回路２０に混入させる混入手段２８を有し、前記追い焚き循環回路２０に混入させた気体をノズル３１より噴出させる構成とし、前記混入手段２８の上流側に着脱可能な逆止弁２９を設け、前記逆止弁２９は気体用配管２７を接続可能な構成としたものである。【選択図】図１
2005230041.tif 000002
【特許請求の範囲】
【請求項１】
ポンプにより浴槽の湯を循環する追焚き循環回路と、前記追焚き循環回路に気体を混入させる混入手段と、前記混入手段を介して追い焚き循環回路に混入させた気体を噴出するノズルを備え、前記混入手段の上流側には着脱自在な逆止弁を設け、前記逆止弁に気体用配管と接続可能な接続部を有する構成とした浴槽気泡噴出装置。
【請求項２】
混入手段と逆止弁との接続は着脱自在で、かつ、首振り自在な構成とした請求項１記載の浴槽気泡噴出装置。
【請求項３】
混入手段は逆止弁の出口と循環通路との間に絞り部を有する構成とした請求項１記載の浴槽気泡噴出装置。
【請求項４】
混入手段は気体の通路にフィルターを設けた構成とした請求項１記載の浴槽気泡気泡噴出装置。
【請求項５】
混入手段は空気の入り口とノズルとの間に通路径の５倍以上の通路長を設けた構成とした請求項１記載の浴槽気泡噴出装置。
【請求項６】
逆止弁のケースを金属等の熱伝導性の良い材料で形成した請求項１記載の浴槽気泡噴出装置。
【発明の詳細な説明】
【技術分野】
【０００１】
本発明は追焚き循環回路を有する給湯器の循環回路中に、酸素等の気体を供給する機能を有する浴槽気泡噴出装置に関するものである。
【背景技術】
【０００２】
従来、この種の浴槽気泡噴出装置は、ジェットバス等の浴槽水を循環させる管路に気体を供給する供給部を設け、この供給部に酸素富化空気を供給するための酸素富化装置を設けたものである。図９は、前記公報に記載された従来の浴槽内への酸素供給装置を示すものである。図において、１は浴槽、２は管路、３は供給部、４は吸入口、５は吐出口、７は酸素富化装置、８はポンプである。
【特許文献１】特開平４−２３４７号公報
【発明の開示】
【発明が解決しようとする課題】
【０００３】
しかしながら、前記従来の構成では、ジェット配管の管路の途中に酸素供給部を設け、この供給部に酸素富化空気を供給するものであるため、酸素を浴槽に供給するためには、ジェットバスのシステムを有することが必要であり、簡単に家庭に設置できるものではなかった。また、ジェットバスの流量が大きいため、電気代や騒音等の関連で長時間使用することが難しく、十分な酸素を供給することもできないという課題を有していた。
【０００４】
本発明は、前記従来の課題を解決するもので、殆どの家庭で設置している、ポンプにより浴槽の湯が循環する追い焚き循環回路を有する給湯機の前記追焚き循環回路に、酸素富化装置からの高濃度の酸素等の気体を混入させ、浴槽に取り付けた風呂アダプタを利用した浴槽気泡噴出装置より噴出させる構成とすることで安価に取り付けでき、かつ循環流量も少ないので、長時間の酸素等の気体の供給も可能な装置を提供することを目的とする。
【０００５】
また、着脱可能な逆止弁を取り付けることでポンプ等への逆流を防止して安全性を高めることができるものである。
【課題を解決するための手段】
【０００６】
前記従来の課題を解決するために、本発明の浴槽気泡噴出装置は、ポンプにより浴槽の湯を循環する追焚き循環回路と、前記追焚き循環回路に気体を混入させる混入手段と、前記混入手段を介して追い焚き循環回路に混入させた気体を噴出するノズルを備え、前記混入手段の上流側には着脱自在な逆止弁を設け、前記逆止弁に気体用配管と接続可能な接続部を有する構成としたものである。
【０００７】
これによって、常に使用する追焚き装置を一部改造するとともに、酸素富化装置他を追加するだけで、より高濃度の酸素等の気体を簡単に得ることができるようになるとともに、着脱可能な逆止弁を取り付けることでポンプ等への逆流を防止して安全性を高めることができるものである。
【発明の効果】
【０００８】
本発明の浴槽気泡噴出装置は、殆どの家庭で設置している浴槽水を循環して追い焚き動作を行う追焚き循環回路に、酸素富化装置等からの高濃度の酸素等の気体を混入させ、浴槽に取り付けた風呂アダプタを利用して噴出させる構成とすることで、安価に取り付けでき、かつ循環流量も少ないので、長時間の酸素等の気体の供給も可能となり、温浴効果を促進したり、入浴中の居眠りが防止でき、さらに、気泡が破裂するときの超音波の発生等により洗浄効果を高めることも期待できる。また、着脱可能な逆止弁を取り付けることでポンプ等への逆流を防止して安全性を高めることができるものである。
【発明を実施するための最良の形態】
【０００９】
第１の発明は、ポンプにより浴槽の湯を循環する追焚き循環回路と、前記追焚き循環回路に気体を混入させる混入手段と、前記混入手段を介して追い焚き循環回路に混入させた気体を噴出するノズルを備え、前記混入手段の上流側には着脱自在な逆止弁を設け、前記逆止弁に気体用配管と接続可能な接続部を有する構成としたもので、混入手段によって、酸素富化装置等からの高濃度の酸素等の気体は追焚き配管の中の湯または水に混入され、この酸素が混入された湯または水が浴槽に取りつけた追焚きアダプタから噴出するときに、高濃度の酸素等の気体が気泡となって浴槽水の中を通過し、その後浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。また、酸素以外の気体や空気であっても、気泡が破裂するときの超音波の発生等により洗浄効果等が期待されるものである。また、着脱可能な逆止弁を取り付けることでポンプ等への逆流を防止して安全性を高めることができるものであり、逆止弁を取り外せば、通常の風呂アダプタとして使用できる。
【００１０】
第２の発明は，第１の発明において、混入手段と逆止弁との接続部を首振り可能な構成としたもので、酸素や空気の配管をどちらの方向からでも接続できるようにし、狭い施工空間でも接続可能にできるものである。
【００１１】
第３の発明は、混入手段は逆止弁の出口と循環通路との間に絞り部を有する構成としたもので、湯の循環経路より汚れた水やごみが浸入するのを防げるものである。
【００１２】
第４の発明は、混入手段の気体の通路にフィルターを設けた構成としたもので、湯の循環経路より汚れた水やごみが浸入するのを防げるものである。
【００１３】
第５の発明は、混入手段の空気の入り口とノズルとの間に通路径の５倍以上の通路長を設けた構成としたもので、湯の中に混入した空気が通路を通過する間に均一化され、噴流が噴出する時の音が静かになるものである。
【００１４】
第６の発明は、逆止弁のケースを金属等の熱伝導性の良い材料で形成したもので、冬場に結露水等で逆止弁が凍結した場合でも、湯が配管を循環した場合に湯の熱がケースに伝わり、逆止弁の凍結を解除することができるものである。
【００１５】
以下、本発明の実施の形態について、図面を参照しながら説明する。なお本実施の形態によって本発明が限定されるものではない。
【００１６】
（実施の形態１）
図１は、本発明の第１の実施の形態における浴槽気泡噴出装置の断面図、図２は同浴槽気泡噴出装置を取り付けた追い焚き装置の全体構成図を示すものである。９は給湯装置本体である。１０は熱交換器１２を加熱するバーナ、１１はバーナ１２に燃焼空気を送るバーナファン、１３は燃焼空気の排気口、１４は給湯回路で、給湯入口１５から入った水が熱交換器１２で加熱されて給湯出口１６から出、カラン１７等から吐出される。１８は、追焚き循環回路２０に設けられた風呂ポンプで、これから出た循環水はパイプ１９を通りながら熱交換器１２で加熱された後、浴槽２１に取り付けた浴槽気泡噴出装置２２に入り、浴槽に噴出される。２３は酸素富化膜、２４は空気を減圧して酸素富化膜の間に空気を通し、高酸素濃度の空気を得るための真空ポンプ、２５は酸素富化膜に新鮮空気を送るための送風ファンであり、この２３、２４、２５の３つで酸素富化装置２６を構成している。そして真空ポンプ２３から出た酸素は一点鎖線で示すように真空ポンプ２４から酸素ホース２７で運ばれ、浴槽気泡噴出装置２２で水に混入される。
【００１７】
以上のように構成された追焚き機能付き給湯装置について、以下その動作・作用を説明する。
【００１８】
浴槽気泡噴出装置２２によって酸素富化装置２６からの高濃度の酸素は追焚き回路２０の中の湯または水に混入され、この酸素が混入された湯または水が浴槽の中に噴出するときに、高濃度の酸素が気泡２８となって浴槽水の中を通過し、その後浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。そして、この構成であれば、給湯機のケーシング９の中に納まるので余分なスペースも不用であると共に、安価に作成も可能であるため、一般の家庭への設置も可能である。
【００１９】
図１、図３、図４に、浴槽気泡噴出装置２２の一実施例を示す。２８は混入手段、２９は逆止弁、３０はノズルガイド、３１は差込ノズルである。３２は、逆止弁２９と混合手段２８とを接続するファスナーである。３３は弁体、３４は便座、３５は弁体を便座に押し付けるスプリング、３６は酸素ホース２７を固定すると共にシールをするＯリング、３７は前記Ｏリングを支持するガイドであり、このＯリング３６とガイド３７で逆止弁２９における気体用配管である酸素ホース２７との接続部を構成している。３８は逆止弁のケーシングである。
【００２０】
このように、酸素ホース２７から入った流れは、逆止弁２９を通過してから混入手段２８に入る構成であるため、ポンプ等への逆流を防止して安全性を高めることができるものである。また、逆止弁２９は着脱可能な構成であるため、逆止弁を取り外し通路を閉じれば、通常の風呂アダプタとして使用できる。
【００２１】
また、逆止弁２９を取り付けた状態であれば、逆流防止機能により水漏れが生じることが無いので、そのままでも風呂アダプタとして使用できる。また、逆止弁２９の出口と循環通路２０との間に絞り部３９を有する構成としたもので、湯の循環循環経路より汚れた水やごみが浸入するのを防げるものである。
【００２２】
そして、図４および図５に示すように逆止弁２９と混入手段２８とを、接続部４１と４２でファスナー３２によって接続する構成であるため、逆止弁２９は首振り可能な構成となり、酸素や空気の配管をどちらの方向からでも接続できるようにし、狭い施工空間でも接続可能にできるものである。
【００２３】
（実施の形態２）
図６は、本発明の第２の実施の形態における浴槽気泡噴出装置２２を示す。これは、混入手段２８の気体の通路にフィルター４０を設けた構成としたもので、湯の循環経路２０より汚れた水やごみが浸入するのを防げるものである。また、図７に示すように、混入手段２８の空気の入り口とノズルとの間Ｂの長さを通路径Ａの５倍以上の通路長を設けた構成としたもので、湯の中に混入した空気が通路を通過する間に均一化され、噴流が噴出する時の音が静かになるものである。
【００２４】
（実施の形態３）
図８は、本発明の第３の実施の形態における浴槽気泡装置２２を示す。これは逆止弁２９のケースを金属等の熱伝導性の良い材料で形成したもので、冬場に結露水等で逆止弁が凍結した場合でも、湯が配管を循環した場合に湯の熱がケースに伝わり、逆止弁の凍結を解除することができるものである。
【産業上の利用可能性】
【００２５】
以上のように、本発明の浴槽気泡噴出装置は、殆どの家庭で使用している浴槽水循環型の追焚き装置を一部改造し、酸素富化装置等の気体発生装置を追加するだけで、より高濃度の酸素等の気体を簡単に浴槽水に混入することができるようになるとともに、着脱可能な逆止弁を取り付けることでポンプ等への逆流を防止して安全性を高めることができるものであり、浴槽水を循環して追い焚き動作を行わせる追焚き装置全般に適用できる。
【図面の簡単な説明】
【００２６】
【図１】本発明の実施の形態１における浴槽気泡噴出装置の断面図
【図２】同浴槽気泡噴出装置を用いた追い焚き装置の全体構成図
【図３】同浴槽気泡噴出装置の部分拡大図
【図４】同浴槽気泡噴出装置の部分拡大図
【図５】同浴槽気泡噴出装置の部分拡大図
【図６】本発明の実施の形態２における浴槽気泡噴出装置の部分拡大図
【図７】同浴槽気泡噴出装置の断面図
【図８】本発明の実施の形態３における浴槽気泡噴出装置の部分拡大図
【図９】従来の酸素供給装置の全体構成図
【符号の説明】
【００２７】
１８  ポンプ
２０  追焚き循環回路
２７  酸素ホース（気体用配管）
２８  混入手段
２９  逆止弁
３１  ノズル
３６  Ｏリング（接続部）
３７  ガイド（接続部）
【図１】
2005230041.tif 000003
【図２】
2005230041.tif 000004
【図３】
2005230041.tif 000005
【図４】
2005230041.tif 000006
【図５】
2005230041.tif 000007
【図６】
2005230041.tif 000008
【図７】
2005230041.tif 000009
【図８】
2005230041.tif 000010
【図９】
2005230041.tif 000011